【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
複数視点から撮影されたビデオストリームをH.264 AVC/MVCによって符号化して得られた、同じ時刻を表すPicture Timing SEIが符号化されている基本ストリームと拡張ストリームを記録媒体から読み出す読み出し部と、
前記記録媒体から読み出された前記基本ストリームを記憶する第１のバッファと、
前記記録媒体から読み出された前記拡張ストリームを記憶する第２のバッファと、
前記第１のバッファに記憶されている前記基本ストリームのピクチャを、前記基本ストリームに符号化されているPicture Timing SEIに従ってデコードし、前記基本ストリームのピクチャに対応する前記第２のバッファに記憶されている前記拡張ストリームのピクチャを、前記拡張ストリームに符号化されているPicture Timing SEIに従って同じタイミングでデコードする復号部と
を備える再生装置。
【請求項２】
前記復号部は、デコードして得られた前記基本ストリームのピクチャと前記拡張ストリームのピクチャを、前記基本ストリームと前記拡張ストリームに符号化されているPicture Timing SEIに従って同じタイミングで出力する
請求項１に記載の再生装置。
【請求項３】
前記復号部は、デコードして得られた前記基本ストリームのピクチャの表示順を表す値を計算し、表示順が最も先の値が計算された前記基本ストリームのピクチャを前記基本ストリームに符号化されているPicture Timing SEIにより表されるタイミングに従って出力するとともに、対応する前記拡張ストリームのピクチャを同じタイミングで出力する
請求項２に記載の再生装置。
【請求項４】
複数視点から撮影されたビデオストリームをH.264 AVC/MVCによって符号化して得られた、同じ時刻を表すPicture Timing SEIが符号化されている基本ストリームと拡張ストリームを記録媒体から読み出し、
前記記録媒体から読み出した前記基本ストリームを第１のバッファに記憶し、
前記記録媒体から読み出した前記拡張ストリームを第２のバッファに記憶し、
前記第１のバッファに記憶されている前記基本ストリームのピクチャを、前記基本ストリームに符号化されているPicture Timing SEIに従ってデコードし、
前記基本ストリームのピクチャに対応する前記第２のバッファに記憶されている前記拡張ストリームのピクチャを、前記拡張ストリームに符号化されているPicture Timing SEIに従って同じタイミングでデコードする
ステップを含む再生方法。
【請求項５】
複数視点から撮影されたビデオストリームをH.264 AVC/MVCによって符号化することによって得られた、
所定の時刻を表すPicture Timing SEIが符号化されている、第１のバッファに記憶し、前記第１のバッファに記憶されている前記基本ストリームのピクチャを、前記基本ストリームに符号化されているPicture Timing SEIに従ってデコードするように再生装置を機能させる前記基本ストリームと、
前記所定の時刻と同じ時刻を表すPicture Timing SEIが符号化されている、第２のバッファに記憶し、前記第２のバッファに記憶されている前記拡張ストリームのピクチャを、前記拡張ストリームに符号化されているPicture Timing SEIに従って、前記基本ストリームのデコードタイミングと同じタイミングでデコードするように前記再生装置を機能させる前記拡張ストリームと
が記録された記録媒体。
【請求項６】
複数視点から撮影されたビデオストリームをH.264 AVC/MVCによって符号化し、
所定の時刻を表すPicture Timing SEIが符号化されている、第１のバッファに記憶し、前記第１のバッファに記憶されている前記基本ストリームのピクチャを、前記基本ストリームに符号化されているPicture Timing SEIに従ってデコードするように再生装置を機能させる前記基本ストリームと、
前記所定の時刻と同じ時刻を表すPicture Timing SEIが符号化されている、第２のバッファに記憶し、前記第２のバッファに記憶されている前記拡張ストリームのピクチャを、前記拡張ストリームに符号化されているPicture Timing SEIに従って、前記基本ストリームのデコードタイミングと同じタイミングでデコードするように前記再生装置を機能させる前記拡張ストリームと
を記録する
ステップを含む記録方法。
【手続補正２】
【補正対象書類名】明細書
【補正対象項目名】発明の名称
【補正方法】変更
【補正の内容】
【発明の名称】再生装置、再生方法、記録媒体、および記録方法
【手続補正３】
【補正対象書類名】明細書
【補正対象項目名】０００１
【補正方法】変更
【補正の内容】
【０００１】
本発明は、再生装置、再生方法、記録媒体、および記録方法に関し、特に、３Ｄ画像の表示に用いられる基本ストリームと拡張ストリームの対応するピクチャに、同じ情報を付加することができるようにした再生装置、再生方法、記録媒体、および記録方法に関する。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
本発明の一側面の再生装置は、複数視点から撮影されたビデオストリームをH.264 AVC/MVCによって符号化して得られた、同じ時刻を表すPicture Timing SEIが符号化されている基本ストリームと拡張ストリームを記録媒体から読み出す読み出し部と、前記記録媒体から読み出された前記基本ストリームを記憶する第１のバッファと、前記記録媒体から読み出された前記拡張ストリームを記憶する第２のバッファと、前記第１のバッファに記憶されている前記基本ストリームのピクチャを、前記基本ストリームに符号化されているPicture Timing SEIに従ってデコードし、前記基本ストリームのピクチャに対応する前記第２のバッファに記憶されている前記拡張ストリームのピクチャを、前記拡張ストリームに符号化されているPicture Timing SEIに従って同じタイミングでデコードする復号部とを備える。
【手続補正９】
【補正対象書類名】明細書
【補正対象項目名】００１７
【補正方法】変更
【補正の内容】
【００１７】
前記復号部には、デコードして得られた前記基本ストリームのピクチャと前記拡張ストリームのピクチャを、前記基本ストリームと前記拡張ストリームに符号化されているPicture Timing SEIに従って同じタイミングで出力させることができる。
前記復号手段には、デコードして得られた前記基本ストリームのピクチャの表示順を表す値を計算させ、表示順が最も先の値が計算された前記基本ストリームのピクチャを前記基本ストリームに符号化されているPicture Timing SEIにより表されるタイミングに従って出力させるとともに、対応する前記拡張ストリームのピクチャを同じタイミングで出力させることができる。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】